(57)【要約】【課題】回路構成を複雑にせず、常時時刻を自動修正して正確な時計としても利用する。【解決手段】現在の時刻を計時する計時部76と、この計時部76で得る現在の時刻を表示する表示部31と、携帯電話機(1) の装着を検出する載置検出部37と、この載置検出部37で携帯電話機(1) の装着を検出した際に携帯電話機(1) から現在の時刻情報を取得し、計時部76の計時内容を修正する制御部71とを備える。【選択図】      図４
2006033392.tif 000002
【特許請求の範囲】
【請求項１】
無線通信ネットワークを形成する基地局との無線通信によりデータ通信を行なう携帯端末機用の充電器であって、
現在の時刻を計時する計時手段と、
この計時手段で得る現在の時刻を表示する表示手段と、
上記携帯端末機の装着を検出する検出手段と、
この検出手段で携帯端末機の装着を検出した際に、上記基地局とのデータ通信により計時内容を更新する携帯端末機から現在の時刻情報を取得し、上記計時手段の計時内容を修正する時刻修正手段と
を具備したことを特徴とする携帯端末機用充電器。
【請求項２】
無線通信ネットワークを形成する基地局との無線通信によりデータ通信を行なう携帯端末機を載置することで、その充電を行なう一方、外部接続した機器及び携帯端末機を仲介する携帯端末機用のクレイドル装置であって、
現在の時刻を計時する計時手段と、
この計時手段で得る現在の時刻を表示する表示手段と、
上記携帯端末機の載置を検出する検出手段と、
この検出手段で携帯端末機の載置を検出した際に、上記基地局とのデータ通信により計時内容を更新する携帯端末機から現在の時刻情報を取得し、上記計時手段の計時内容を修正する時刻修正手段と
を具備したことを特徴とする携帯端末機用クレイドル装置。
【請求項３】
無線通信ネットワークを形成する基地局との無線通信によりデータ通信を行なう携帯端末機と、この携帯端末機を載置することで、その充電を行なう一方、外部接続した機器及び該携帯端末機間のデータ通信を仲介するクレイドル装置とを有する携帯端末システムであって、
上記クレイドル装置は、上記携帯端末機の載置を検出する検出した際に、携帯端末機に対して基地局とのデータ通信による計時内容の修正を要求し、
上記携帯端末機は、上記クレイドル装置からの要求に対応して最寄りの基地局とのデータ通信により計時内容を修正して修正後の時刻情報をクレイドル装置へ送信し、
上記クレイドル装置は、上記携帯端末機から送られてくる時刻情報に基づいて、計時していた現在の時刻を修正して表示する
ことを特徴とする携帯端末システム。
【請求項４】
無線通信ネットワークを形成する基地局との無線通信によりデータ通信を行なう携帯端末機と、この携帯端末機と信号の送受信が可能な時計とを有する携帯端末システムであって、
上記時計は、上記携帯端末機に対して所定期間毎に基地局とのデータ通信による計時内容の修正を要求し、
上記携帯端末機は、上記時計からの要求に対応して最寄りの基地局とのデータ通信により計時内容を修正して修正後の時刻情報を時計へ送信し、
上記時計は、上記携帯端末機から送られてくる時刻情報に基づいて、計時していた現在の時刻を修正して表示する
ことを特徴とする携帯端末システム。
【請求項５】
無線通信ネットワークを形成する基地局との無線通信によりデータ通信を行なう携帯端末機と、この携帯端末機からの信号の受信が可能な時計とを有する携帯端末システムであって、
上記携帯端末機は、所定期間毎に最寄りの基地局とのデータ通信により計時内容を修正して修正後の時刻情報を時計へ送信し、
上記時計は、上記携帯端末機から送られてくる時刻情報に基づいて、計時していた現在の時刻を修正して表示する
ことを特徴とする携帯端末システム。
【発明の詳細な説明】
【技術分野】
【０００１】
本発明は、例えば携帯電話機とそのクレイドル装置等に好適な携帯端末機用充電器、携帯端末機用クレイドル装置及び携帯端末システムに関する。
【背景技術】
【０００２】
従来、携帯端末機の充電台に携帯端末機が有する時計機能よりも高精度の時計機能を設け、充電台に装着された携帯端末機にこれを供給して、携帯端末機が保持している時刻を補正するようにした技術が考えられている。（例えば、特許文献１）
【特許文献１】特開平１０−１７８７４５号公報
【発明の開示】
【発明が解決しようとする課題】
【０００３】
しかしながら、しかしながら、上記特許文献１の技術は、充電台に高価な高精度の時計機能を設けたものであり、その回路、部品構成が複雑でコストも高く、広く普及させるには実現性の低いものであった。
【０００４】
本発明は上記のような実情に鑑みてなされたもので、その目的とするところは、回路構成を複雑にせずに、常時時刻を自動修正して正確な時計としても利用可能な携帯端末機用充電器、携帯端末機用クレイドル装置及び携帯端末機システムを提供することにある。
【課題を解決するための手段】
【０００５】
請求項１記載の発明は、無線通信ネットワークを形成する基地局との無線通信によりデータ通信を行なう携帯端末機用の充電器であって、現在の時刻を計時する計時手段と、この計時手段で得る現在の時刻を表示する表示手段と、上記携帯端末機の装着を検出する検出手段と、この検出手段で携帯端末機の装着を検出した際に、上記基地局とのデータ通信により計時内容を更新する携帯端末機から現在の時刻情報を取得し、上記計時手段の計時内容を修正する時刻修正手段とを具備したことを特徴とする。
【０００６】
請求項２記載の発明は、無線通信ネットワークを形成する基地局との無線通信によりデータ通信を行なう携帯端末機を載置することで、その充電を行なう一方、外部接続した機器及び携帯端末機を仲介する携帯端末機用のクレイドル装置であって、現在の時刻を計時する計時手段と、この計時手段で得る現在の時刻を表示する表示手段と、上記携帯端末機の載置を検出する検出手段と、この検出手段で携帯端末機の載置を検出した際に、上記基地局とのデータ通信により計時内容を更新する携帯端末機から現在の時刻情報を取得し、上記計時手段の計時内容を修正する時刻修正手段とを具備したことを特徴とする。
【０００７】
請求項３記載の発明は、無線通信ネットワークを形成する基地局との無線通信によりデータ通信を行なう携帯端末機と、この携帯端末機を載置することで、その充電を行なう一方、外部接続した機器及び該携帯端末機間のデータ通信を仲介するクレイドル装置とを有する携帯端末システムであって、上記クレイドル装置は、上記携帯端末機の載置を検出する検出した際に、携帯端末機に対して基地局とのデータ通信による計時内容の修正を要求し、上記携帯端末機は、上記クレイドル装置からの要求に対応して最寄りの基地局とのデータ通信により計時内容を修正して修正後の時刻情報をクレイドル装置へ送信し、上記クレイドル装置は、上記携帯端末機から送られてくる時刻情報に基づいて、計時していた現在の時刻を修正して表示することを特徴とする。
【０００８】
請求項４記載の発明は、無線通信ネットワークを形成する基地局との無線通信によりデータ通信を行なう携帯端末機と、この携帯端末機と信号の送受信が可能な時計とを有する携帯端末システムであって、上記時計は、上記携帯端末機に対して所定期間毎に基地局とのデータ通信による計時内容の修正を要求し、上記携帯端末機は、上記時計からの要求に対応して最寄りの基地局とのデータ通信により計時内容を修正して修正後の時刻情報を時計へ送信し、上記時計は、上記携帯端末機から送られてくる時刻情報に基づいて、計時していた現在の時刻を修正して表示することを特徴とする。
【０００９】
請求項５記載の発明は、無線通信ネットワークを形成する基地局との無線通信によりデータ通信を行なう携帯端末機と、この携帯端末機からの信号の受信が可能な時計とを有する携帯端末システムであって、上記携帯端末機は、所定期間毎に最寄りの基地局とのデータ通信により計時内容を修正して修正後の時刻情報を時計へ送信し、上記時計は、上記携帯端末機から送られてくる時刻情報に基づいて、計時していた現在の時刻を修正して表示することを特徴とする。
【発明の効果】
【００１０】
請求項１記載の発明によれば、携帯端末機を充電器に装着する毎に、携帯端末機の有している正確な時刻情報に基づいて充電器側で計時内容を修正して時計表示するようにしたので、複雑な回路構成とせずに、適宜な頻度で時刻を自動修正して正確な時計としても使用することが可能となる。
【００１１】
請求項２記載の発明によれば、例えばカメラ付き携帯電話機等の携帯端末機を充電またはデータの吸上げ等のためにクレイドル装置に載置する毎に、携帯端末機の有している正確な時刻情報に基づいてクレイドル装置側で計時内容を修正して時計表示するようにしたので、複雑な回路構成とせずに、適宜な頻度で時刻を自動修正して正確な時計としても使用することが可能となる。
【００１２】
請求項３記載の発明によれば、例えばカメラ付き携帯電話機等の携帯端末機を充電またはデータの吸上げ等のためにクレイドル装置に載置する毎に、クレイドル装置からの要求に従って携帯端末機がその都度最寄りの基地局との交信により正確な時刻修正を行なった上でその修正した時刻情報をクレイドル装置へ送信し、クレイドル装置側でも計時内容を修正して時計表示するようにしたので、複雑な回路構成とせずに、常に最新の修正内容に基づいた時刻で自動修正して正確な時計としても使用することが可能となる。
【００１３】
請求項４記載の発明によれば、携帯端末機と例えばＢｌｕｅｔｏｏｔｈ（登録商標）等の近距離無線ＬＡＮ技術により通信可能な時計が、所定時間毎に携帯端末機に最寄りの基地局との交信により正確な時刻修正を行なわせた上でその修正した時刻情報を受取り、計時内容を修正して表示するようにしたので、複雑な回路構成とせずに、常に最新の修正内容に基づいた時刻で自動修正して正確な時刻を表示することが可能となる。
【００１４】
請求項５記載の発明によれば、携帯端末機と例えばＢｌｕｅｔｏｏｔｈ（登録商標）等の近距離無線ＬＡＮ技術により通信可能な時計が、所定時間毎に携帯端末機から送られてくる、最寄りの基地局との交信により正確な修正を行なった時刻情報を受取り、計時内容を修正して表示するようにしたので、複雑な回路構成とせずに、常に最新の修正内容に基づいた時刻で自動修正して正確な時刻を表示することが可能となる。
【発明を実施するための最良の形態】
【００１５】
（第１の実施の形態）  
以下本発明を携帯電話機とその充電台を兼ねたクレイドル装置でなる携帯電話システムに適用した場合の第１の実施の形態について図面を参照して説明する。
【００１６】
図１は、その外観構成を示すもので、図１（Ａ）は折り畳み式の携帯電話機１を開いた状態でクレイドル装置２に載置した場合、図１（Ｂ）は同じく閉じた状態で載置した場合を示す。
【００１７】
携帯電話機１は、ヒンジ部１１を介在して２つの筐体１２，１３が一体に構成されている。
【００１８】
図１（Ａ）に示すように上部筐体１２の内面には、受話器となるスピーカ１４及びメイン表示部１５が備えられる。
【００１９】
一方、下部筐体１３の内面には、ダイヤルキー等を含む各種キー１６及び送話器となる内面マイクロホン１７が備えられる。
【００２０】
また、図１（Ｂ）に示すように、上部筐体１２の外面には、カメラ部１８、外面マイクロホン１９、高輝度ＬＥＤでなる撮影ライト２０、着信時のビープ音やメロディ音等を拡声放音するための外面スピーカ２１、及びサブ表示部２２が備えられる。
【００２１】
さらに、下部筐体１３内にも延在されているアンテナ２３がヒンジ部１１外面側より突出形成され、該ヒンジ部１１のアンテナ２３が配されていない他端側面にシャッタキー２４が配される。
【００２２】
また、クレイドル装置２の前面に、表示部３１、強制転送／充電キー３２、充電表示ランプ３３、及びアラームランプ３４が配される一方で、側面後端側に放音部３５が配設される。
【００２３】
図２は、クレイドル装置２から携帯電話機１を取り外し、代わって後述するＵＳＢ（Ｕｎｉｖｅｒｓａｌ  Ｓｅｒｉａｌ  Ｂｕｓ）コネクタにＵＳＢケーブル４１を介して外部機器としてのキーボード４２を接続した状態での外観構成を示す。
【００２４】
携帯電話機１の載置位置には、充電端子とデータの送受信端子を兼用するＵＳＢコネクタ（凸）３６が突出配置されると共に、携帯電話機１の載置に際して押圧されるスイッチでなる載置検出部３７が配置される。
【００２５】
また、クレイドル装置２の背面側には、ここでは図示しないが上述した如くＵＳＢケーブル４１を介して上記キーボード４２やパーソナルコンピュータ等の外部機器を接続するためのＵＳＢコネクタが配されると共に、ＤＣ入力端子が配され、このＤＣ入力端子にＡＣアダプタケーブル４３を介して図示しないＡＣアダプタが接続される。
【００２６】
次に上記携帯電話機１がＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話システム、及び近距離無線ＬＡＮの規格であるＢｌｕｅｔｏｏｔｈ（登録商標）に対応したものであるものとして、図３によりその回路構成を示す。
【００２７】
同図で、上記アンテナ２３は最寄りの基地局とＣＤＭＡ方式の通信を行ない、このアンテナ２３にＲＦ部５１を接続している。
【００２８】
このＲＦ部５１は、受信時にはアンテナ２３から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部５２へ出力する。
【００２９】
一方、ＲＦ部５１は送信時に、変復調部５２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部５５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ２３より輻射送信させる。
【００３０】
変復調部５２は、受信時にＲＦ部５１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部５３に出力する。
【００３１】
一方、変復調部５２は送信時に、ＣＤＭＡ部５３から送られてくるデジタル値のＩ・Ｑ信号をアナログ化した後に直交変調器でＯＱＰＳＫ変調してＲＦ部５１に送出する。
【００３２】
ＣＤＭＡ部５３は、受信時に変復調部５２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部５４に出力する。
【００３３】
一方、ＣＤＭＡ部５３は送信時に、音声処理部５４からの出力シンボルを拡散処理した後にデジタルフィルタで帯域制限をかけてＩ・Ｑ信号とし、変復調部５２に送出する。
【００３４】
音声処理部５４は、受信時にＣＤＭＡ部５３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ１４を拡声駆動させる。
【００３５】
一方、音声処理部５４は送信時に、上記内面マイクロホン１７及び外面マイクロホン１９から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部５３へ送出する。
【００３６】
しかして、上記ＲＦ部５１、変復調部５２、変復調部５２、及び音声処理部５４に対して制御部５５を接続し、この制御部５５にＧＰＳレシーバ５６、ブルートゥース通信部５７、画像処理部５８、メモリカード５９、上記メイン表示部１５、上記サブ表示部２２、報知ドライバ６０、及びＵＳＢインタフェース（Ｉ／Ｆ）６１を接続している。
【００３７】
ここで制御部５５は、ＣＰＵと後述する時刻修正動作等を含むその動作プログラムを固定的に記憶したＲＯＭ、及びワークメモリとして使用されるＲＡＭ等で構成され、上記種キー１６及び各種シャッタキー２４の操作を直接受付けて、この携帯電話機１全体の動作を制御する。
【００３８】
ＧＰＳレシーバ５６は、ＧＰＳアンテナ６２が受信する複数のＧＰＳ衛星からの測位情報を符号化し、それらから正確な位置情報、すなわち緯度、経度及び高度の各情報と原子時計オーダーの時刻情報とを算出してもらうべく、符号化した情報を制御部５５へ出力する。
【００３９】
ブルートゥース通信部５７は、ブルートゥースアンテナ６６を介してこの携帯電話機１の近傍に位置する他のブルートゥース対応機器との間で、ピコネットと呼称される無線ネットワークを構築してデータの送受を行なう。
【００４０】
画像処理部５８は、制御部５５の制御の下に、上記カメラ部１８を構成する光学レンズ系６３の撮影光軸後方に配置されたＣＣＤ６４での撮影動作を制御し、その撮影により得られる画像データをデジタル化し、所定の画像圧縮方式に基づいてデータ圧縮する一方で、受信した画像データのデータ圧縮を解いて伸長し、元のビットマップ状の画像データを得る。
【００４１】
メモリカード５９は、この携帯電話機１に着脱自在に備えられるもので、自機で撮影した画像データや受信により得た画像データ等を記憶しておく。
【００４２】
報知ドライバ６０は、着信時等に、予め設定された振動パターン及び振動強度でバイブレータ６５を振動駆動し、また上記外面スピーカ２１で着信音または着信メロディを拡声駆動する。
【００４３】
ＵＳＢインタフェース６１は、上記クレイドル装置２のＵＳＢコネクタ（凸）３６と結合可能なＵＳＢコネクタ（凹）６７を有し、クレイドル装置２に載置された状態で時刻情報等のデータ通信を行なう。
【００４４】
続く図４は、上記クレイドル装置２内の回路構成を示すものである。クレイドル装置２は、このクレイドル装置２全般の制御を司る制御部７１を中心として、この制御部７１に上記表示部３１、インジケータ部７２、第１ＵＳＢインタフェース（Ｉ／Ｆ）７３、電源制御部７４、第２ＵＳＢインタフェース７５、計時部７６、報音ドライバ７７、上記検出部３７、及びブルートゥース通信部７８を接続して構成される。
【００４５】
しかるに制御部７１は、ＣＰＵと後述する時刻修正動作等を含むその動作プログラムを固定的に記憶したＲＯＭ、及びワークメモリとして使用されるＲＡＭ等で構成され、上記強制転送／充電キー３２の操作を直接受付けて、このクレイドル装置２全体の動作を制御する。
【００４６】
表示部３１は、バックライト付きのカラー液晶ディスプレイとその駆動回路とで構成されるもので、携帯電話機１の充電状態や時刻、スケジュールデータ等を表示する。
【００４７】
インジケータ部７２は、上記充電表示ランプ３３及びアラームランプ３４とその駆動回路でなり、各ランプを構成するＬＥＤを点灯／点滅駆動する。
【００４８】
第１ＵＳＢインタフェース７３は、上記ＵＳＢコネクタ３６を介してこのクレイドル装置２に載置される携帯電話機１と接続され、画像データを含む各種データの送受を行なう。
【００４９】
電源制御部７４は、上記ＵＳＢコネクタ３６を介して、このクレイドル装置２に載置された携帯電話機１に電力を供給して充電させる。
【００５０】
第２ＵＳＢインタフェース７５は、このクレイドル装置２の背面に設けられたＵＳＢコネクタ７９に接続される、例えば上記図２で示したキーボード４２やパーソナルコンピュータ等の外部機器との間でデータの送受を行なう。
【００５１】
計時部７６は、例えば水晶発振子とその駆動回路及びカウンタ回路等でなり、現在の時刻を計時し続ける。
【００５２】
ヒンジ部１１は、上記放音部３５を構成するスピーカを拡声駆動してビープ音等を報音させる。
【００５３】
載置検出部３７は、上述した如くこのクレイドル装置２への携帯電話機１の載置を検出するスイッチでなる。
【００５４】
ブルートゥース通信部７８は、ブルートゥースアンテナ８０を介してこのクレイドル装置２の近傍に位置する他のブルートゥース対応機器との間で、ピコネットと呼称される無線ネットワークを構築してデータの送受を行なう。
【００５５】
次に上記実施の形態の動作について説明する。  
図５は、基本的にクレイドル装置２の制御部７１が予め固定記憶された動作プログラムに基づいて実行する、携帯電話機１の載置検出と充電に関する処理内容を示すものである。
【００５６】
その当初には、携帯電話機１が載置されたか否かを載置検出部３７からの信号により繰返し判断することで、携帯電話機１が載置されるのを待機する（ステップＡ０１）。
【００５７】
そして、携帯電話機１がクレイドル装置２に載置されると、ステップＡ０１でこれを判断し、次いで電源制御部７４による充電動作を開始させると共に（ステップＡ０２）、第１ＵＳＢインタフェース７３、ＵＳＢコネクタ３６を介して携帯電話機１側に現在の時刻情報の送信を要求する（ステップＡ０３）。
【００５８】
この要求に対し、一定時間が経過する間に携帯電話機１側から応答があったか否かを判断し（ステップＡ０４）、あったと判断した場合にのみ、送られてきた時刻情報に基づいて計時部７６の保持する時刻情報を修正し、表示部３１で表示する現在時刻を更新する（ステップＡ０５）。
【００５９】
ここで上述したＣＤＭＡ方式の携帯電話システムでは、基地局間の同期をＧＰＳ（Ｇｌｏｂａｌ  Ｐｏｓｉｔｉｏｎｉｎｇ  Ｓｙｓｔｅｍ：全地球測位システム）で用いる原子時計に基づいてとっており、携帯電話機１は最寄りの基地局との位置登録処理時等において常に正確な現在時刻の修正動作を行なう、一種の電波時計としても機能しているものとする。
【００６０】
したがって、携帯電話機１からの時刻情報を用いてクレイドル装置２側の計時部７６で時刻修正を行なうことにより、クレイドル装置２の表示部３１で表示される現在の時刻をきわめて正確なものとすることができる。
【００６１】
その後、上記充電状態を続行しながら、携帯電話機１の充電端子電圧、すなわち携帯電話機１のＵＳＢコネクタ６７の２本の電力線間の電位差をチェックし（ステップＡ０６）、フル充電状態となったか否かを判断し（ステップＡ０７）、さらにまだ携帯電話機１がクレイドル装置２上に載置されたままであるか否かを確認する（ステップＡ０８）、という処理を繰返し実行することで、フル充電状態となるか、携帯電話機１がクレイドル装置２上から取り外されるのを待機する。
【００６２】
しかして、携帯電話機１がフル充電状態となるか、携帯電話機１がクレイドル装置２上から取り外されると、ステップＡ０７またはＡ０８でこれを判断し、携帯電話機１への充電を停止させた上で（ステップＡ０９）、再び新たに携帯電話機１がクレイドル装置２に載置されるのを待機するべく上記ステップＡ０１からの処理に戻る。
【００６３】
なお、上記クレイドル装置２の強制転送／充電キー３２の操作に対しても、既に携帯電話機１が載置されていれば、当該携帯電話機１の充電と時刻修正を実行するものとしてもよい。
【００６４】
図６は、上記図５の処理内容に加えて実行する、強制転送／充電キー３２の操作に対応するものであり、その当初には強制転送／充電キー３２の操作がなされるのを待機し（ステップＡ２１）、強制転送／充電キー３２が操作されたと判断した時点で、次いで載置検出部３７の状態をチェックし（ステップＡ２２）、携帯電話機１が載置されているか否かを判断する（ステップＡ２３）。
【００６５】
ここで、携帯電話機１が載置されていなかったと判断した場合には、上記強制転送／充電キー３２の操作はＮＯＰ（Ｎｏ  ＯＰｅｒａｔｉｏｎ：無効）として再び上記ステップＡ２１からの処理に戻る。
【００６６】
また、ステップＡ２３で携帯電話機１が載置されていると判断すると、強制転送／充電キー３２の操作に対応して強制的に充電を実行するべく、上記図５のステップＡ０２からの処理に移行する。
【００６７】
なお、この強制転送／充電キー３２の操作に対しては、併せて携帯電話機１のメモリカード５９に記憶している各種データを、クレイドル装置２に外部接続されている外部機器、例えばパーソナルコンピュータに予めインストールされているデータ取込みソフトウェアにしたがって転送するものとしてもよいが、本実施の形態に係る動作とは直接関係しないので、ここではその内容の説明は省略するものとする。
【００６８】
このように、携帯電話機１をクレイドル装置２に載置する毎に、携帯電話機１の有している正確な時刻情報に基づいてクレイドル装置２側で計時内容を修正して時計表示するようにしたので、クレイドル装置２側には複雑な回路構成を必要とせず、また最低限、携帯電話機１の充電を行なう頻度など、適宜な頻度で時刻を自動修正して正確な時計としても使用することが可能となる。
【００６９】
加えて、単なる充電台ではなく、ＵＳＢ等の高速なデータ通信機能を有する請クレイドル装置２に携帯電話機１を載置した際に求項２記載の発明によれば、例えばカメラ付き携帯電話機等の携帯端末機を充電またはデータの吸上げ等のためにクレイドル装置に載置する毎に、携帯端末機の有している正確な時刻情報に基づいてクレイドル装置側で計時内容を修正して時計表示するようにしたので、複雑な回路構成とせずに、適宜な頻度で時刻を自動修正して正確な時計としても使用することが可能となる。
【００７０】
（第２の実施の形態）  
以下本発明を携帯電話機とその充電台を兼ねたクレイドル装置でなる携帯電話システムに適用した場合の第２の実施の形態について図面を参照して説明する。
【００７１】
なお、その外観構成に関しては上記図１、図２に示したものと、携帯電話機の回路構成については上記図３に示したものと、そしてクレイドル装置の回路構成については上記図４に示したものとそれぞれ基本的には同様であるものとし、同一部分には同一符号を付してその図示及び説明は省略するものとする。
【００７２】
次に上記実施の形態の動作について説明する。  
図７は、基本的にクレイドル装置２の制御部７１が予め固定記憶された動作プログラムに基づいて実行する、携帯電話機１の載置検出と充電に関する処理内容を示すものである。
【００７３】
その当初には、携帯電話機１が載置されたか否かを載置検出部３７からの信号により繰返し判断することで、携帯電話機１が載置されるのを待機する（ステップＢ０１）。
【００７４】
そして、携帯電話機１がクレイドル装置２に載置されると、ステップＢ０１でこれを判断し、次いで電源制御部７４による充電動作を開始させると共に（ステップＢ０２）、第１ＵＳＢインタフェース７３、ＵＳＢコネクタ３６を介して携帯電話機１側に最寄りの基地局との通信により現在の時刻情報の更新を要求する（ステップＢ０３）。
【００７５】
この要求に対し、携帯電話機１側では最寄りの基地局とのデータ通信により時刻情報の更新動作を実行するもので、その動作に成功した場合にのみ、更新後の時刻情報を上記要求に対する応答としてクレイドル装置２に返送する。
【００７６】
クレイドル装置２では、上記要求送信後、一定時間が経過する間に携帯電話機１側から応答があったか否かを判断し（ステップＢ０４）、あったと判断した場合には、送られてきた時刻情報に基づいて計時部７６の保持する時刻情報を修正し、表示部３１で表示する現在時刻を更新する（ステップＢ０５）。
【００７７】
また、上記ステップＢ０４で携帯電話機１側から要求に対する応答がなかったと判断した場合には、あらためて載置されている携帯電話機１に直接現在の時刻情報の送信を要求し、この携帯電話機１が計時している時刻情報に基づいて計時部７６の保持する時刻情報を修正し、表示部３１で表示する現在時刻を更新する（ステップＢ０６）。
【００７８】
ここで上述したＣＤＭＡ方式の携帯電話システムでは、基地局間の同期をＧＰＳ（Ｇｌｏｂａｌ  Ｐｏｓｉｔｉｏｎｉｎｇ  Ｓｙｓｔｅｍ：全地球測位システム）で用いる原子時計に基づいてとっており、携帯電話機１は最寄りの基地局との位置登録処理時等において常に正確な現在時刻の修正動作を行なう、一種の電波時計としても機能しているものとする。
【００７９】
したがって、携帯電話機１からの時刻情報を用いてクレイドル装置２側の計時部７６で時刻修正を行なうことにより、クレイドル装置２の表示部３１で表示される現在の時刻をきわめて正確なものとすることができる。
【００８０】
加えて、携帯電話機１がクレイドル装置２からの要求に応じて最寄りの基地局との間でその都度時刻修正を更新することにより、微少な誤差も排除してさらに携帯電話機１が計時している時刻情報をより正確にし、そのより正確な時刻情報をクレイドル装置２側に供することができる。
【００８１】
その後、上記充電状態を続行しながら、携帯電話機１の充電端子電圧、すなわち携帯電話機１のＵＳＢコネクタ６７の２本の電力線間の電位差をチェックし（ステップＢ０７）、フル充電状態となったか否かを判断し（ステップＢ０８）、さらにまだ携帯電話機１がクレイドル装置２上に載置されたままであるか否かを確認する（ステップＢ０９）、という処理を繰返し実行することで、フル充電状態となるか、携帯電話機１がクレイドル装置２上から取り外されるのを待機する。
【００８２】
しかして、携帯電話機１がフル充電状態となるか、携帯電話機１がクレイドル装置２上から取り外されると、ステップＢ０８またはＣ０９でこれを判断し、携帯電話機１への充電を停止させた上で（ステップＢ１０）、再び新たに携帯電話機１がクレイドル装置２に載置されるのを待機するべく上記ステップＢ０１からの処理に戻る。
【００８３】
このように、携帯電話機１をクレイドル装置２に載置する毎に、クレイドル装置２からの要求に従って携帯電話機１がその都度最寄りの基地局との交信により正確な時刻情報の更新を行なった上でその更新した時刻情報をクレイドル装置２へ送信し、クレイドル装置２側でも計時内容を修正して時計表示するようにしたので、特にクレイドル装置２側が複雑な回路構成を必要とせずに、常に最新の修正内容に基づいた時刻で自動修正して正確な時計としても使用することが可能となる。
【００８４】
（第３の実施の形態）  
以下本発明を携帯電話機とその充電台を兼ねたクレイドル装置でなる携帯電話システムに適用した場合の第３の実施の形態について図面を参照して説明する。
【００８５】
なお、その外観構成に関しては上記図１、図２に示したものと、携帯電話機の回路構成については上記図３に示したものと、そしてクレイドル装置の回路構成については上記図４に示したものとそれぞれ基本的には同様であるものとし、同一部分には同一符号を付してその図示及び説明は省略するものとする。
【００８６】
次に上記実施の形態の動作について説明する。  
ここでは、携帯電話機１をクレイドル装置２に載置せず、したがって携帯電話機１の充電を行なっていない状態で、クレイドル装置２を単に時計として用いる場合の時刻修正に係る処理内容を示す。
【００８７】
図８は、基本的にクレイドル装置２の制御部７１が予め固定記憶された動作プログラムに基づいて実行するもので、ここでは所定時間、例えば１時間に１回、正時となる毎に時刻修正処理を行なうものとする。
【００８８】
その当初には、計時部７６の計時内容により正時となったか否かを繰返し判断することでこれを待機し（ステップＣ０１）、なったと判断した時点で携帯電話機１とブルートゥースによる通信が可能か否かを判断する（ステップＣ０２）。
【００８９】
これは、ブルートゥース通信部７８によりピコネットを構築し、例えばホールドモードまたはスニフモード等の低消費電力モードにおいて携帯電話機１が該ピコネットに参加しているか否かを携帯電話機１のスレーブ識別子の有無により判断するもので、携帯電話機１との通信が確立できない場合には、今回の時刻修正をあきらめ、１時間後の次の正時を待機するべく上記ステップＣ０１からの処理に戻る。
【００９０】
また、ステップＣ０２で携帯電話機１とのブルートゥースによる通信が可能手あると判断すると、当該携帯電話機１に対して最寄りの基地局との通信による現在の時刻情報の更新を要求する（ステップＣ０３）。
【００９１】
この要求に対し、携帯電話機１側では最寄りの基地局とのデータ通信により時刻情報の更新動作を実行するもので、その動作に成功した場合にのみ、更新後の時刻情報を上記要求に対する応答としてクレイドル装置２に返送する。
【００９２】
クレイドル装置２では、上記要求送信後、一定時間が経過する間に携帯電話機１側から応答があったか否かを判断し（ステップＣ０４）、あったと判断した場合には、送られてきた時刻情報に基づいて計時部７６の保持する時刻情報を修正し、表示部３１で表示する現在時刻を更新する（ステップＣ０５）。
【００９３】
また、上記ステップＣ０４で携帯電話機１側から要求に対する応答がなかったと判断した場合には、あらためてブルートゥースにより無線接続されている携帯電話機１に直接現在の時刻情報の送信を要求し、この携帯電話機１が計時している時刻情報に基づいて計時部７６の保持する時刻情報を修正し、表示部３１で表示する現在時刻を更新する（ステップＣ０６）。
【００９４】
ここで上述したＣＤＭＡ方式の携帯電話システムでは、基地局間の同期をＧＰＳ（Ｇｌｏｂａｌ  Ｐｏｓｉｔｉｏｎｉｎｇ  Ｓｙｓｔｅｍ：全地球測位システム）で用いる原子時計に基づいてとっており、携帯電話機１は最寄りの基地局との位置登録処理時等において常に正確な現在時刻の修正動作を行なう、一種の電波時計としても機能しているものとする。
【００９５】
したがって、携帯電話機１からの時刻情報を用いてクレイドル装置２側の計時部７６で時刻修正を行なうことにより、クレイドル装置２の表示部３１で表示される現在の時刻をきわめて正確なものとすることができる。
【００９６】
加えて、携帯電話機１がクレイドル装置２からの要求に応じて最寄りの基地局との間でその都度時刻修正を更新することにより、微少な誤差も排除してさらに携帯電話機１が計時している時刻情報をより正確にし、そのより正確な時刻情報をクレイドル装置２側に供することができる。
【００９７】
こうしてステップＣ０５またはＣ０６での必要に応じた時刻修正処理を行なった後、１時間後の次の正時を待機するべく上記ステップＣ０１からの処理に戻る。
【００９８】
このように、クレイドル装置２を携帯電話機１を載置しない状態で単に時計として使用する場合であっても、携帯電話機１と例えばブルートゥース等の近距離無線ＬＡＮ技術により通信可能であるものとすれば、所定時間毎に携帯電話機１に最寄りの基地局との交信により正確な時刻修正を行なわせた上でその修正した時刻情報を受取り、計時内容を修正して表示することができるので、複雑な回路構成とせずに、常に最新の修正内容に基づいた時刻で自動修正して正確な時刻を表示することが可能となる。
【００９９】
加えて、上記クレイドル装置２のような時計機能を有する機器が複数ある場合でも、それぞれ時刻補正を行なうタイミングを相互にずらして重複しないように予め設定しておけば、個々の機器が携帯電話機１を時刻修正用のツールとして共用して任意のタイミングで時刻修正を行なうことができる。
【０１００】
（第４の実施の形態）  
以下本発明を携帯電話機とその充電台を兼ねたクレイドル装置でなる携帯電話システムに適用した場合の第４の実施の形態について図面を参照して説明する。
【０１０１】
なお、その外観構成に関しては上記図１、図２に示したものと、携帯電話機の回路構成については上記図３に示したものと、そしてクレイドル装置の回路構成については上記図４に示したものとそれぞれ基本的には同様であるものとし、同一部分には同一符号を付してその図示及び説明は省略するものとする。
【０１０２】
次に上記実施の形態の動作について説明する。  
ここでは、携帯電話機１をクレイドル装置２に載置せず、したがって携帯電話機１の充電を行なっていない状態で、クレイドル装置２を単に時計として用いる場合の時刻修正に係る処理内容を示す。
【０１０３】
図８は、携帯電話機１の制御部５５と、クレイドル装置２の制御部７１とがそれぞれ予め固定記憶された動作プログラムに基づいて実行するもので、ここでは所定時間、例えば１時間に１回、正時となる毎に時刻修正処理を行なうものとする。
【０１０４】
時計として機能するクレイドル装置２の側では、計時部７６の計時内容により正時近傍、例えば正時の前後１分の範囲となったか否かを繰返し判断することでこれを待機し（ステップＤ０１）、なったと判断した時点で携帯電話機１とブルートゥースによる通信リンク、具体的にはピコネットを確立し（ステップＤ０２）、確立できたか否かを判断する（ステップＤ０３）。
【０１０５】
ここで、ピコネットの接続ができず、通信リンクが確立できないと判断した場合には、再び上記ステップＤ０１からの処理に戻り、正時近傍の範囲内において通信リンクが確立できるまで同様の処理を繰返す。
【０１０６】
そして、通信リンクが確立できたと判断すると、以後時刻情報の受信があったか否か（ステップＤ０４）、正時近傍の範囲を経過してしまっていないかどうか（ステップＤ０５）を繰返し判断することで、時刻情報を受信するか、正時近傍の範囲を経過するのを待機する。
【０１０７】
一方、携帯電話機１の側では、制御部５５の内部レジスタに更新記憶される計時内容により正時となったか否かを繰返し判断することでこれを待機し（ステップＥ０１）、なったと判断した時点でクレイドル装置２とブルートゥースによる通信リンク、具体的にはピコネットを確立し（ステップＥ０２）、確立できたか否かを判断する（ステップＥ０３）。
【０１０８】
ここで、ピコネットの接続ができず、通信リンクが確立できないと判断した場合には、再び上記ステップＥ０１からの処理に戻り、次の正時のタイミングでの通信リンクの確立を待機する。
【０１０９】
また、上記ステップＥ０３で通信リンクが確立できたと判断した場合には、続いて制御部５５内部のＲＡＭに記憶される、最寄りの基地局からの時刻情報の受信履歴を参照し（ステップＥ０４）、直近の５分以内に受信した時刻情報があるか否かを判断する（ステップＥ０５）。
【０１１０】
ここで、５分以内に受信した時刻情報がないと判断した場合には、クレイドル装置２に対する時刻修正は行なわないものとして、再び上記ステップＥ０１からの処理に戻り、次の正時になるのを待機する。
【０１１１】
また、ステップＥ０５で５分以内に受信した時刻情報があると判断した場合には、充分に正確な時刻情報を有しているものとして、その時点で有している時刻情報を通信のリンクが確立されているクレイドル装置２その他に対して一括送信し（ステップＥ０５）、以上で一連の処理を終了して、再び上記ステップＥ０１からの処理に戻り、次の正時になるのを待機する。
【０１１２】
ここで上述したＣＤＭＡ方式の携帯電話システムでは、基地局間の同期をＧＰＳ（Ｇｌｏｂａｌ  Ｐｏｓｉｔｉｏｎｉｎｇ  Ｓｙｓｔｅｍ：全地球測位システム）で用いる原子時計に基づいてとっており、携帯電話機１は最寄りの基地局との位置登録処理時等において常に正確な現在時刻の修正動作を行なう、一種の電波時計としても機能しているものとする。
【０１１３】
したがって、携帯電話機１からの時刻情報を用いてクレイドル装置２側の計時部７６で時刻修正を行なうことにより、クレイドル装置２の表示部３１で表示される現在の時刻をきわめて正確なものとすることができる。
【０１１４】
加えて、携帯電話機１が例えば所定時間、例えば５分以内の受信履歴を有する場合にのみ時刻情報を送信するものとしたことにより、微少な誤差が発生している可能性を排除し、その精度においてきわめて信頼性の高い時刻情報をクレイドル装置２側に供することができる。
【０１１５】
この携帯電話機１からの時刻情報を受けたクレイドル装置２の側では、ステップＤ０４でこれを判断した上で、受信した時刻情報に基づいて計時部７６の保持する時刻情報を修正し、表示部３１で表示する現在時刻を更新して（ステップＤ０６）、一連の処理を終了し、再び上記ステップＤ０１からの処理に戻り、次の正時近傍になるのを待機する。
【０１１６】
また、クレイドル装置２において、携帯電話機１からの時刻情報を受信しないままに正時近傍の時間帯が経過してしまった場合には、ステップＤ０５でこれを判断し、一旦携帯電話機１とのブルートゥースによる通信リンクを切断した後（ステップＤ０７）、一連の処理を終了し、再び上記ステップＤ０１からの処理に戻り、次の正時近傍になるのを待機する。
【０１１７】
このように、携帯電話機１と例えばブルートゥース等の近距離無線ＬＡＮ技術により通信可能な、時計として機能するクレイドル装置２が、所定時間毎に携帯電話機１から送られてくる、最寄りの基地局との交信により正確な修正を行なった時刻情報を受取り、計時内容を修正して表示するようにした。
【０１１８】
そのため、時計として機能するクレイドル装置２側に複雑な回路構成を必要とせずに、常に最新の修正内容に基づいた時刻で自動修正してきわめて正確な時刻を表示することが可能となる。
【０１１９】
加えて、上記クレイドル装置２のような時計機能を有する機器が複数ある場合でも、携帯電話機１からの時刻情報の送信により、個々の機器が携帯電話機１を時刻修正用のツールとして共用して同時に一括して時刻修正を行なうことができる。
【０１２０】
なお、上記第３及び第４の実施の形態にあっては、携帯電話機１とクレイドル装置２とがブルートゥース技術により無線接続可能であるものとして説明したが、本発明はこれに限らず、他の電波や、ＩｒＤＡ等の赤外線通信技術、あるいは音波等、他の無線通信技術を用いるものとしてもよい。
【０１２１】
また、上記第１乃至第４の実施の形態は、いずれも本発明をＣＤＭＡ方式の携帯電話機１とその充電台を兼ねたクレイドル装置２でなる携帯電話システムに適用した場合について述べたものであるが、本発明はこれに限らず、基地局との交信により常時正確な時刻情報を取得可能な携帯端末機と、この携帯端末機に対応した充電器あるいはクレイドル装置あるいは時計等とでなるシステムにも適用可能である。
【０１２２】
その他、本発明は上記実施の形態に限らず、その要旨を逸脱しない範囲内で種々変形して実施することが可能であるものとする。
【０１２３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２４】
【図１】本発明の第１の実施の形態に係る携帯電話システムの外観構成を示す斜視図。
【図２】同実施の形態に係るクレイドル装置とこれに外部接続したキーボードの外観構成を示す斜視図。
【図３】同実施の形態に係る携帯端末機の電子回路の機能構成を示すブロック図。
【図４】同実施の形態に係るクレイドル装置の電子回路の機能構成を示すブロック図。
【図５】同実施の形態に係るクレイドル装置の時刻修正と携帯電話機への充電の処理内容を示すフローチャート。
【図６】同実施の形態に係るクレイドル装置の時刻修正と携帯電話機への充電の処理内容を示すフローチャート。
【図７】本発明の第２の実施の形態に係るクレイドル装置の時刻修正と携帯電話機への充電の処理内容を示すフローチャート。
【図８】本発明の第３の実施の形態に係るクレイドル装置の時刻修正の処理内容を示すフローチャート。
【図９】本発明の第４の実施の形態に係る携帯電話機とクレイドル装置の時刻修正の処理内容を示すフローチャート。
【符号の説明】
【０１２５】
１…携帯電話機、２…クレイドル装置、１１…ヒンジ部、１２…上部筐体、１３…下部筐体、１４…スピーカ、１５…メイン表示部、１６…各種キー、１７…内面マイクロホン、１８…カメラ部、１９…外面マイクロホン、２０…撮影ライト、２１…外面スピーカ、２２…サブ表示部、２３…アンテナ、２４…シャッタキー、３１…表示部、３２…強制転送／充電キー、３３…充電表示ランプ、３４…アラームランプ、３５…放音部、３６…ＵＳＢコネクタ、３７…検出部、４１…ＵＳＢケーブル、４２…キーボード、４３…ＡＣアダプタケーブル、５１…ＲＦ部、５２…変復調部、５３…ＣＤＭＡ部、５４…音声処理部、５５…制御部、５６…ＧＰＳレシーバ、５７…ブルートゥース通信部、５８…画像処理部、５９…メモリカード、６０…報知ドライバ、６１…ＵＳＢインタフェース（Ｉ／Ｆ）、６２…ＧＰＳアンテナ、６３…光学レンズ系、６４…ＣＣＤ、６５…ＵＳＢコネクタ、６６…ブルートゥースアンテナ、６７…ＵＳＢコネクタ、７１…制御部、７２…インジケータ部、７３…第１ＵＳＢインタフェース（Ｉ／Ｆ）、７４…電源制御部、７５…第２ＵＳＢインタフェース（Ｉ／Ｆ）、７６…計時部、７７…報音ドライバ、７８…ブルートゥース通信部、７９…ＵＳＢコネクタ、８０…ブルートゥースアンテナ。
【図１】
2006033392.tif 000003
【図２】
2006033392.tif 000004
【図３】
2006033392.tif 000005
【図４】
2006033392.tif 000006
【図５】
2006033392.tif 000007
【図６】
2006033392.tif 000008
【図７】
2006033392.tif 000009
【図８】
2006033392.tif 000010
【図９】
2006033392.tif 000011